(57)【要約】 【課題】  書き込み画像の擦れ及び読み取り面の汚れの防止等を図る。【解決手段】  圧板４の原稿保持部１３に保持した原稿をフラットベッドスキャナ２の読み取り面上に位置させて原稿の読み取りを行いつつ、原稿保持部１３とは反対側の面にある書き込み面１４に画像を書き込む。画像の書き込み後に、軸１０を中心にして圧板４を読み取り面から離れる方向にほぼ９０度回転させつつ、支点１２を中心にして圧板４をほぼ１８０度回転させて圧板１４の表裏を反対にする。次いで、軸１０を中心にして圧板４を読み取り面へ近づく方向にほぼ９０度回転させ、書き込み面１４をストッパ６により読み取り面の上方に浮かせた状態で保持させる。この状態において、書き込み面１４上に書き込まれている画像をフラットベッドスキャナ２によって読み取る。【選択図】      図１
2006067193.tif 000002
【特許請求の範囲】
【請求項１】
平板状の圧板と、該圧板の片側の描画面に描かれている画像を光学的に読み取る光学式読み取り装置とを有する平面走査式画像読み取り装置であって、
前記描画面を前記光学式読み取り装置の読み取り面から所定距離上方に保持するストッパを前記描画面に隣接する外周に形成したことを特徴とする平面走査式画像読み取り装置。
【請求項２】
平板状の圧板と、該圧板の片側の描画面に描かれている画像を光学的に読み取る光学式読み取り装置とを有する平面走査式画像読み取り装置であって、
前記描画面を前記光学式読み取り装置の読み取り面から所定距離上方に保持するストッパを前記読み取り面に形成したことを特徴とする平面走査式画像読み取り装置。
【請求項３】
前記描画面は、前記圧板の片側の面に形成されていることを特徴とする請求項１又は２記載の平面走査式画像読み取り装置。
【請求項４】
前記ストッパは、前記描画面に隣接する外周にも形成したことを特徴とする請求項２記載の平面走査式画像読み取り装置。
【請求項５】
前記ストッパは、前記読み取り面にも形成したことを特徴とする請求項１記載の平面走査式画像読み取り装置。
【請求項６】
前記ストッパは、前記外周に所定間隔を置いて形成したことを特徴とする請求項１又は４記載の平面走査式画像読み取り装置。
【請求項７】
前記ストッパは、前記外周に枠の形式で形成したことを特徴とする請求項１又は４記載の平面走査式画像読み取り装置。
【請求項８】
前記圧板は、前記読み取り面の一側を支点にして上げ下げし得るように構成されていることを特徴とする請求項１乃至７のいずれか一に記載の平面走査式画像読み取り装置。
【請求項９】
前記圧板は、前記読み取り面の一側を支点にして反転し得るように構成されていることを特徴とする請求項１乃至７のいずれか一に記載の平面走査式画像読み取り装置。
【請求項１０】
請求項１乃至請求項９記載の平面走査式画像読み取り装置と、前記光学式読み取り装置で読み取られた画像信号を送信する送信装置とを有するファクシミリ装置であって、
前記描画面を前記光学式読み取り装置の読み取り面から所定距離上方に保持するストッパを前記描画面に隣接する外周に形成したことを特徴とするファクシミリ装置。
【請求項１１】
請求項１乃至請求項９記載の平面走査式画像読み取り装置と、前記光学式読み取り装置で読み取られた画像信号を送信する送信装置とを有するファクシミリ装置であって、
前記描画面を前記光学式読み取り装置の読み取り面から所定距離上方に保持するストッパを前記読み取り面に形成したことを特徴とするファクシミリ装置。
【発明の詳細な説明】
【技術分野】
【０００１】
この発明は、平面走査式画像読み取り装置及びファクシミリ装置に関し、詳しくは圧板の描画面に書き込まれた画像の劣化と同時に読み取り面の汚れを防止する平面走査式画像読み取り装置及びファクシミリ装置に関する。
【背景技術】
【０００２】
従来のファクシミリ装置において、ペパーレスでメッセージ等の画像を送信する技術が知られている。その例が、特許文献１に記載されている。
特許文献１に記載される技術は、圧板の片側の面に設けられた白色板に送信したいメッセージをホワイトボードマーカ等で書き込み、書き込まれたメッセージをスキャナ部により読み取り、読み取られたメッセージ信号を送信するファクシミリ装置である。
【０００３】
また、複写機等の記録装置、画像読み取り装置等において、原稿圧板の両面に原稿を保持可能にし、一方の面に保持した原稿をスキャナの読み取り面上に位置付けられているとき、他方の面を装置の上側で上方に向かせるようにし、当該他方の面へ原稿を保持させる際の原稿の配置状態を正確に確認可能にし、原稿の画像を正しく読み取り得るようにした技術が、特許文献２、特許文献３、特許文献４及び特許文献５に記載されている。
【０００４】
【特許文献１】特開平９−２９８２６１号公報
【特許文献２】特開昭６０−２４７２３４号公報
【特許文献３】実開昭６１−１４５９３１号公報
【特許文献２】実開平２−５８７６１号公報
【特許文献３】特開平３−１５４０７９号公報
【発明の開示】
【発明が解決しようとする課題】
【０００５】
特許文献１に記載されるファクシミリ装置によれば、紙を使用することなく、送信したいメッセージをファクシミリ装置から宛先に送信することはできる。
しかしながら、その送信に際して、メッセージを書き込んだ白色板の書き込み面が、読み取り面に直接押し当てられてメッセージの読み取りが行われる構成となっている。
そのため、ホワイトボードマーカで書かれているメッセージが擦れて消えてしまったり、読み取りガラス面を汚してしまう可能性があるという技術的課題が生ずる。すなわち、送信されるメッセージ像の品質の低下を生じさせたり、読み取りガラス面の清掃の必要性を惹起してしまうという解決しなければならない問題がある。
【０００６】
このような問題は、特許文献２乃至特許文献５に記載される技術、すなわち、圧板の一方の面又は両面をメッセージ等の書き込み、読み取りに活用して読み取られた画像を送信しようとする技術においても、同様に生じて来る問題でもある。
【０００７】
この発明は、上述の事情に鑑みてなされたもので、書き込んだ画像の擦れや読み取り面の汚れを防止し得る平面走査式画像読み取り装置及びファクシミリ装置を提供することを目的としている。
【課題を解決するための手段】
【０００８】
上記課題を解決するために、請求項１記載の発明は、平板状の圧板と、該圧板の片側の描画面に描かれている画像を光学的に読み取る光学式読み取り装置とを有する平面走査式画像読み取り装置に係り、上記描画面を上記光学式読み取り装置の読み取り面から所定距離上方に保持するストッパを上記描画面に隣接する外周に形成したことを特徴としている。
【０００９】
請求項２記載の発明は、平板状の圧板と、該圧板の片側の描画面に描かれている画像を光学的に読み取る光学式読み取り装置とを有する平面走査式画像読み取り装置に係り、上記描画面を上記光学式読み取り装置の読み取り面から所定距離上方に保持するストッパを上記読み取り面に形成したことを特徴としている。
【００１０】
請求項３記載の発明は、請求項１又は２記載の平面走査式画像読み取り装置に係り、上記描画面は、上記圧板の片側の面に形成されていることを特徴としている。
【００１１】
請求項４記載の発明は、請求項２記載の平面走査式画像読み取り装置に係り、上記ストッパは、上記描画面に隣接する外周にも形成したことを特徴としている。
【００１２】
請求項５記載の発明は、請求項１記載の平面走査式画像読み取り装置に係り、上記ストッパは、上記読み取り面にも形成したことを特徴としている。
【００１３】
請求項６記載の発明は、請求項１又は４記載の平面走査式画像読み取り装置に係り、上記ストッパは、上記外周に所定間隔を置いて形成したことを特徴としている。
【００１４】
請求項７記載の発明は、請求項１又は４記載の平面走査式画像読み取り装置に係り、上記ストッパは、上記外周に枠の形式で形成したことを特徴としている。
【００１５】
請求項８記載の発明は、請求項１乃至７のいずれか一に記載の平面走査式画像読み取り装置に係り、上記圧板は、上記読み取り面の一側を支点にして上げ下げし得るように構成されていることを特徴としている。
【００１６】
請求項９記載の発明は、請求項１乃至７のいずれか一に記載の平面走査式画像読み取り装置に係り、上記圧板は、上記読み取り面の一側を支点にして反転し得るように構成されていることを特徴としている。
【００１７】
請求項１０記載の発明は、請求項１乃至請求項９記載の平面走査式画像読み取り装置と、上記光学式読み取り装置で読み取られた画像信号を送信する送信装置とを有するファクシミリ装置に係り、上記描画面を上記光学式読み取り装置の読み取り面から所定距離上方に保持するストッパを上記描画面に隣接する外周に形成したことを特徴としている。
【００１８】
請求項１１記載の発明は、請求項１乃至請求項９記載の平面走査式画像読み取り装置と、上記光学式読み取り装置で読み取られた画像信号を送信する送信装置とを有するファクシミリ装置に係り、上記描画面を上記光学式読み取り装置の読み取り面から所定距離上方に保持するストッパを上記読み取り面に形成したことを特徴としている。
【発明の効果】
【００１９】
この発明は、平板状の圧板と、圧板の描画面に描かれている画像を光学的に読み取る光学式読み取り装置とを有する平面走査式画像読み取り装置における描画面を光学式読み取り装置の読み取り面から所定距離上方に保持させる構成にしているので、描画面を上記読み取り面から若干浮いた位置で保つことができる。
したがって、描画面に書き込んだ画像が擦れてしまうことは無くなるし、読み取り面を汚してしまうことも無くなる。
【００２０】
描画面は、繰り返し画像の書き込みに用いることができるから、従来のように１回の書き込み読み取り毎に紙を交換する必要はないから、紙の節約になる。描画面への画像の書き込みは、ほぼ水平にされた描画面の書き込み面上で行えるので、書き込みが容易になる。
【発明を実施するための最良の形態】
【００２１】
この発明は、平板状の圧板と、圧板の片側の描画面に描かれている画像を光学的に読み取る光学式読み取り装置とを有する平面走査式画像読み取り装置における描画面を光学式読み取り装置の読み取り面から所定距離上方に保持させるようにして構成される。
また、この発明は、上記平面走査式画像読み取り装置で読み取られた画像信号を送信装置から所定の宛先に送信するファクシミリ装置として構成される。
【実施例１】
【００２２】
図１は、この発明の実施例１である平面走査式画像読み取り装置の機械的構成であって、圧板に保持された原稿をフラットベッドスキャナの読み取り面上に位置させた状態における図、図２は、同平面走査式画像読み取り装置の機械的構成であって、圧板をほぼ９０度回転させた状態における図、図３は、同平面走査式画像読み取り装置の機械的構成であって、圧板をほぼ１８０度回転させた状態における図、図４は、同平面走査式画像読み取り装置の機械的構成であって、圧板の書き込み面をフラットベッドスキャナの読み取り面上に位置させた状態における図である。
【００２３】
この実施例の平面走査式画像読み取り装置１は、書き込み面を読み取りガラス面から所定の距離だけ浮かせ得るようにした装置に係り、図１乃至図４に示すように、フラットベッドスキャナ２と、圧板４と、ストッパ６と、２本のアーム８と、アーム８の各々をフラットベッドスキャナ２の長辺２Ａの両端部でほぼ９０度回転可能に軸支する軸１０と、軸１０で軸支される各アーム８と圧板４との間に設けられ、圧板４の両短辺４Ａの中間点で圧板４をほぼ１８０度回転可能に軸支する支点１２とから構成されている。
【００２４】
フラットベッドスキャナ２は、その読み取り面上に位置する平板状の原稿Ｓ（図２）を平面走査して読み取る公知の装置である。
圧板４は、その片面を、原稿Ｓをフラットベッドスキャナ２の読み取り面に原稿Ｓを押し当てる原稿固定部１３とすると共に、原稿Ｓを押し当てる面とは反対側の面を、白色で、かつ、ホワイトボードマーカーで書き込み、消去可能な材料で作られ、所定の書き込み範囲を有する書き込み面１４として構成されるものである。
なお、圧板４の原稿固定部１３（図２）は、アルバム等で使用されるのり付きのファイル形式、静電気を発生させることができる材料を用いて付着さ得る構造のものである。
【００２５】
ストッパ６は、書き込み面１４外であって、書き込み面１４を囲む圧板４の領域に所定の間隔を置いて、例えば、圧板４の４隅に植設されており、書き込み面１４をフラットベッドスキャナ２の読み取りガラス面に触れさせなくするのに十分な高さを有する。
【００２６】
圧板４の原稿固定部１３の大きさ、書き込み面１４の大きさ及びフラットベッドスキャナ２の読み取りガラス面の大きさ並びにフラットベッドスキャナ２の長辺２Ａにおける軸１０の軸支及びアーム８の圧板４への支点１２による軸支の位置関係は、圧板４の原稿固定部１３をフラットベッドスキャナ２の読み取りガラス面上に位置させた状態から、圧板４をほぼ１８０度回転させたとき、書き込み面１４がフラットベッドスキャナ２の読み取り範囲上に位置するような大きさ及び位置関係である。
【００２７】
次に、図１乃至図４を参照して、この実施例の動作について説明する。
この実施例の動作順序上、原稿Ｓがフラットベッドスキャナ２の読み取りガラス面上に位置させられて原稿Ｓがフラットベッドスキャナ２によって読み取られ、或るいはその読み取りが終了した状態にあるとする。
この状態において、使用者がホワイトボードマーカを用いてフリーハンドで画像を書き込み面１４の書き込み面内に書き込む。
この書き込み終了後に、使用者は軸１０を中心にして圧板４を読み取りガラス面から離れる方向へほぼ９０度回転させつつ（図２）、支点１２を中心にして圧板４をほぼ１８０度回転させて書き込み面１４を内側に、原稿Ｓを外側にする（図３）。
【００２８】
書き込み面１４と原稿Ｓとが入れ替わった状態において、使用者は、軸１０を中心にして圧板４をフラットベッドスキャナ２の読み取りガラス面に向けてほぼ９０度回転させてフラットベッドスキャナ２による読み取り可能な状態にする。
これにより、先にフリーハンドで画像を書き込んである書き込み面１４は、フラットベッドスキャナ２の読み取りガラス面上に位置する。
この書き込み面１４が回動されてフラットベッドスキャナ２の読み取りガラス面上方に移動されて来たとき、書き込み面１４は、ストッパ６の各々によってその降下を阻止されてストッパ６の先端の位置よりも低い位置には下がらない。
つまり、書き込み面１４は、フラットベッドスキャナ２の読み取りガラス面から若干浮いた位置で保持される。
【００２９】
このようにして書き込み面１４は保持され、書き込み面１４上の画像は、フラットベッドスキャナ２によって読み取られる。
【００３０】
このように、この実施例の構成によれば、書き込み面をストッパで保持させる構成にしているので、書き込み面をフラットベッドスキャナ２の読み取りガラス面から若干浮いた位置で保つことができる。
したがって、書き込み面に書き込んだ画像が擦れてしまうことは無くなるし、フラットベッドスキャナの読み取りガラス面を汚してしまうことも無くなる。
書き込み面は、繰り返し画像の書き込みに用いることができるから、従来のように１回の書き込み読み取り毎に紙を交換する必要はないから、紙の節約になる。書き込み面への画像の書き込みは、ほぼ水平にされた書き込み面上で行えるので、書き込みが容易になる。
【実施例２】
【００３１】
この発明の実施例２は、実施例１で説明した平面走査式画像読み取り装置を備えたファクシミリ装置である。
すなわち、このファクシミリ装置は、実施例１で説明した特徴部分、すなわち、書き込み面をストッパで保持させる構成を有しつつ、フラットベッドスキャナで読み取った画像信号を所定の送信先へ送信する送信装置を備えて構成される。
この構成以外のこの実施例の構成は、実施例１で説明した図１乃至図４と同じであるので、同一の構成部分には同一の参照符号を付して、その逐一の説明は省略する。
【００３２】
次に、図１乃至図４を参照して、この実施例の動作について説明する。
この実施例の動作順序上、実施例１と同様、原稿Ｓがフラットベッドスキャナ２の読み取りガラス面上に位置させられている状態において、使用者がホワイトボードマーカを用いてフリーハンドで画像を書き込み面１４内に書き込む。
この書き込み終了後に、使用者は軸１０を中心にして圧板４をほぼ９０度回転させつつ（図２）、支点１２を中心にして圧板４をほぼ１８０度回転させて書き込み面１４を内側に、原稿Ｓを外側にする（図３）。
【００３３】
書き込み面１４と原稿Ｓとが入れ替わった状態において、使用者は、軸１０を中心にして圧板４をフラットベッドスキャナ２の読み取りガラス面に向けてほぼ９０度回転させてフラットベッドスキャナ２による読み取り可能な状態にする。
これにより、先にフリーハンドで画像を書き込んである書き込み面１４は、フラットベッドスキャナ２の読み取りガラス面上に位置する。
この書き込み面１４が回動されてフラットベッドスキャナ２の読み取りガラス面上方に移動されて来たとき、書き込み面１４は、ストッパ６の各々によってその降下を阻止されてストッパ６の先端の位置よりも低い位置には下がらない。
つまり、書き込み面１４は、フラットベッドスキャナ２の読み取りガラス面から若干浮いた位置で保持される。
【００３４】
このようにして書き込み面１４は保持され、書き込み面１４上の画像は、フラットベッドスキャナ２によって読み取られ、読み取られた画像信号は、送信装置から所定の送信先へ送信される。
【００３５】
このように、この実施例の構成によれば、実施例１と同等の効果を享受しつつ、画像品質を低下させることなく、ペパーレスで画像を送信することができる。
【００３６】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、ストッパ６は、描画面、すなわち、書き込み面１４外であって、書き込み面１４を囲む圧板４の領域に所定の間隔を置いて、例えば、圧板４の４隅に植設される例について説明したが、圧板４上で書き込み面１４の外周に枠形式で設けてもよい。
【００３７】
また、ストッパ６は、圧板４側に設ける代わりに、読み取りガラス面の外周に圧板４側と同様の態様で設けてもよい。
また、ストッパ６は、読み取り面、すなわち、読み取りガラス面上に読み取りガラス面と一体に、又は透明でホワイトボードマーカ等のマーカ材が付着し難い材料で、かつ、マーカ材が付着し難く読み取り品質が低下し難い形状で別体に形成してもよい。
【００３８】
さらには、描画面に原稿保持機能をも持たせ、原稿の連続的な読み取りを行い得るようにしてもよい。
また、原稿保持側の面に描画機能をも持たせ、連続的な描画を行い得るようにしてもよい。
【図面の簡単な説明】
【００３９】
【図１】この発明の実施例１である平面走査式画像読み取り装置の機械的構成であって、圧板に保持された原稿をフラットベッドスキャナの読み取り面上に位置させた状態における図である。
【図２】同平面走査式画像読み取り装置の機械的構成であって、圧板をほぼ９０度回転させた状態における図である。
【図３】同平面走査式画像読み取り装置の機械的構成であって、圧板をほぼ１８０度回転させた状態における図である。
【図４】同平面走査式画像読み取り装置の機械的構成であって、圧板の書き込み面をフラットベッドスキャナの読み取り面上に位置させた状態における図である。
【符号の説明】
【００４０】
１      平面走査式画像読み取り装置
２      フラットベッドスキャナ（光学式読み取り装置）
４      圧板
６      ストッパ
１４      書き込み面（描画面）
【図１】
2006067193.tif 000003
【図２】
2006067193.tif 000004
【図３】
2006067193.tif 000005
【図４】
2006067193.tif 000006